(57)【要約】    【課題】      患者に対して即効性のある睡眠導入および覚醒を提供することができる睡眠促進／覚醒装置を提供すること。    【解決手段】  脳波測定装置２０の測定結果に基づき、患者が睡眠中か覚醒中かを判定し、この判定結果を携帯電話端末１０を通じて医療機関に通知するとともに、医療機関からの指示を携帯電話端末１０を通じて受信し、この指示に応じて薬物注入装置３０〜３６を動作させて、睡眠導入剤および精神賦活剤または興奮剤を患者の体内に直接的に注入する。  【選択図】      図１
2006061209.tif 000002
【特許請求の範囲】
【請求項１】
医療機関と通信するために用いられる携帯端末装置と、
患者の脳波を測定する脳波測定装置と、
睡眠導入剤および精神賦活剤または興奮剤を患者の体内に注入する薬物注入装置と、
前記脳波測定装置の測定結果に基づき、患者が睡眠中か覚醒中かを判定し、この判定結果を前記携帯端末装置を通じて医療機関に通知するとともに、医療機関からの指示を前記携帯端末装置を通じて受信し、この指示に応じて前記薬物注入装置を動作させる制御装置と、
を有することを特徴とする睡眠促進／覚醒装置。
【請求項２】
前記薬物注入装置は、睡眠導入剤を注入する複数の注入装置を含み、
前記複数の注入装置のうち少なくとも１つは、医療機関から睡眠導入剤の追加注入の指示を受信した場合に動作される、
ことを特徴とする請求項１記載の睡眠促進／覚醒装置。
【請求項３】
前記薬物注入装置は、精神賦活剤または興奮剤を注入する複数の注入装置を含み、
前記複数の注入装置のうち少なくとも１つは、医療機関から精神賦活剤または興奮剤の追加注入の指示を受信した場合に動作される、
ことを特徴とする請求項１記載の睡眠促進／覚醒装置。
【発明の詳細な説明】
【技術分野】
【０００１】
本発明は、携帯電話端末を利用した睡眠促進／覚醒装置に関する。
【背景技術】
【０００２】
従来の睡眠導入装置は、多数の睡眠導入素材を提供するという構成を採用し、患者にさまざまな刺激を与えることにより睡眠導入を行うようにしている（例えば、特許文献１参照）。
【特許文献１】特開２００２−２８８２１１号公報
【発明の開示】
【発明が解決しようとする課題】
【０００３】
しかしながら、従来の睡眠導入装置においては、患者に各種の刺激を間接的にいくつか与えるというものであり、即効性に欠けるという問題がある。また、脳波を測定していながら睡眠の導入にだけ注力しているため、覚醒に寄与することができないという問題がある。
【０００４】
本発明は、かかる点に鑑みてなされたものであり、患者に対して即効性のある睡眠導入および覚醒を提供することができる睡眠促進／覚醒装置を提供することを目的とする。
【課題を解決するための手段】
【０００５】
本発明の睡眠促進／覚醒装置は、医療機関と通信するために用いられる携帯端末装置と、患者の脳波を測定する脳波測定装置と、睡眠導入剤および精神賦活剤または興奮剤を患者の体内に注入する薬物注入装置と、前記脳波測定装置の測定結果に基づき、患者が睡眠中か覚醒中かを判定し、この判定結果を前記携帯端末装置を通じて医療機関に通知するとともに、医療機関からの指示を前記携帯端末装置を通じて受信し、この指示に応じて前記薬物注入装置を動作させる制御装置と、を有する構成を採る。
【発明の効果】
【０００６】
本発明によれば、患者に対して即効性のある睡眠導入および覚醒を提供することができる。
【発明を実施するための最良の形態】
【０００７】
以下、本発明の実施の形態について、図面を参照して詳細に説明する。
【０００８】
図１は、本発明の一実施の形態に係る睡眠促進／覚醒装置の構成を示すブロック図である。
【０００９】
図１に示す睡眠促進／覚醒装置（以下「本装置」という）は、強度の不眠症を持つ、体の動きの不自由な症状を持つ患者を対象とした、睡眠導入および覚醒を促すことができる装置であって、携帯電話端末（携帯端末装置）１０、脳波測定装置２０、複数（ここでは４つ）の薬物注入装置３０、３２、３４、３６、制御装置４０、およびコネクタ５０を有している。
【００１０】
携帯電話端末１０は、医療機関に対して、患者が脳波測定装置２０を装着しているかどうか、および、患者の脳波の状態を通知し、また、医療機関から、患者への薬物注入指示を本装置に通知するために用いられる。このように、携帯電話端末を利用した構成とすることにより、患者の所在場所に関係なく、医療機関に患者の状態を知らせることができ、また、医療機関から本装置に指示を出すことができる。
【００１１】
脳波測定装置２０は、患者の頭部に装着され、患者の脳波を測定する。人の脳波は、活動状況や精神状態に応じて変化することが知られており、患者の脳波を測定することによって、患者が睡眠中か覚醒中かを知ることができる。脳波測定装置２０の測定結果は、制御装置４０に通知される。また、脳波測定装置２０が患者に装着されると、手動でまたは自動的にその旨を制御装置４０に通知するように構成されている。
【００１２】
各薬物注入装置３０〜３６は、図示しないが、例えば、点滴器または注射器と、これを作動させるための電気回路とで構成されている。本実施の形態では、第１の薬物注入装置３０は、睡眠導入剤を患者の体内に注入するために用いられ、第２の薬物注入装置３２は、追加の睡眠導入剤を患者の体内に注入するために用いられ、第３の薬物注入装置３４は、精神賦活剤または興奮剤を患者の体内に注入するために用いられ、第４の薬物注入装置３６は、追加の精神賦活剤または興奮剤を患者の体内に注入するために用いられる。このように、睡眠導入剤を追加注入する薬物注入装置３２を設けることにより、医療機関の判断により睡眠導入剤を追加注入することができ、患者を速やかに睡眠へといざなうことができる。また、精神賦活剤または興奮剤を追加注入する薬物注入装置３６を設けることにより、医療機関の判断により精神賦活剤または興奮剤を追加注入することができ、患者を速やかに覚醒へといざなうことができる。各薬物注入装置３０〜３６は、制御装置４０によって制御される。
【００１３】
制御装置４０は、本装置を総合的に制御する機能を有し、コネクタ５０を介して携帯電話端末１０と接続され、また、脳波測定装置２０および各薬物注入装置３０〜３６と接続されている。制御装置４０は、患者が脳波測定装置２０を装着しているかどうか、および、患者の脳波の状態をそれぞれ判定し、各判定結果を携帯電話端末１０に通知し、また、医療機関から指示される薬物注入の信号を各薬物注入装置３０〜３６に送る。また、制御装置４０は、図示しないタイマを内蔵し、所定時間の経過や起床時間などをカウントすることができる。
【００１４】
コネクタ５０は、携帯電話端末１０と制御装置４０をケーブルで接続するために用いられる。
【００１５】
次いで、上記構成を有する睡眠促進／覚醒装置の動作について、図２に示すフローチャートを用いて説明する。
【００１６】
まず、ステップＳ１００では、制御装置４０で、患者が睡眠をとるべき時刻になった際に、医療機関から本装置の携帯電話端末１０への発呼に応答して、患者が脳波測定装置２０を装着しているかどうか判定する。この判定は、患者が脳波測定装置２０を装着した際に出力される信号の有無に基づいて行われる。この判定の結果として、患者が脳波測定装置２０を装着している場合は（Ｓ１００：ＹＥＳ）、ステップＳ１１０に進み、患者が脳波測定装置２０を装着していない場合は（Ｓ１００：ＮＯ）、ただちに動作（通信を含む）を終了する。この判定の結果は、携帯電話端末１０を通じて医療機関に通知される。
【００１７】
ステップＳ１１０では、制御装置４０で、脳波測定装置２０の測定結果（患者の脳波）に基づいて、患者の脳波が睡眠中を示しているかどうかを判定する。この判定の結果として、患者の脳波が睡眠中を示している場合は（Ｓ１１０：ＹＥＳ）、ただちにステップＳ１６０に進み、患者の脳波が睡眠中を示していない場合は（Ｓ１１０：ＮＯ）、患者が覚醒中であると判断して、ステップＳ１２０に進む。この判定の結果は、携帯電話端末１０を通じて医療機関に通知される。
【００１８】
ステップＳ１２０では、制御装置４０で、携帯電話端末１０を通じて医療機関からの指示（睡眠導入剤の注入）を受信し、この指示に基づく薬物注入の信号を第１の薬物注入装置３０に送る。これにより、医療機関の指示により第１の薬物注入装置３０から患者の体内へ睡眠導入剤が直接的に注入される。なお、この後、医療機関との通信を一旦終了する。
【００１９】
そして、ステップＳ１３０では、制御装置４０で、ステップＳ１２０の処理を終了してから所定時間が経過したかどうかを判定する。ここで、所定時間は、睡眠導入剤が効くのに要する時間以上に設定されている。所定時間は、個体差に対応するため、患者毎に任意に変更することが可能である。この判定の結果として、所定時間が経過していない場合は（Ｓ１３０：ＮＯ）、所定時間が経過するまで待機し、所定時間が経過した場合は（Ｓ１３０：ＹＥＳ）、ステップＳ１４０に進む。所定時間が経過したことは、携帯電話端末１０を通じて医療機関に通知される。
【００２０】
ステップＳ１４０では、制御装置４０で、医療機関から本装置の携帯電話端末１０への再度の発呼に応答して、脳波測定装置２０の測定結果（患者の脳波）に基づいて、患者の脳波が睡眠中を示しているかどうかを判定する。この判定の結果として、患者の脳波が睡眠中を示している場合は（Ｓ１４０：ＹＥＳ）、ただちにステップＳ１６０に進み、患者の脳波が睡眠中を示していない場合は（Ｓ１４０：ＮＯ）、患者が覚醒中であると判断して、ステップＳ１５０に進む。この判定の結果は、携帯電話端末１０を通じて医療機関に通知される。
【００２１】
ステップＳ１５０では、制御装置４０で、携帯電話端末１０を通じて医療機関からの指示（睡眠導入剤の追加注入）を受信し、この指示に基づく薬物注入の信号を第２の薬物注入装置３２に送る。これにより、医療機関の判断により第２の薬物注入装置３２から患者の体内へ追加の睡眠導入剤が直接的に注入される。なお、この後、医療機関との通信を一旦終了する。
【００２２】
そして、ステップＳ１６０では、制御装置４０で、患者の起床時間かどうかを判定する。この起床時間は、患者毎に任意に設定可能である。この判定の結果として、起床時間でない場合は（Ｓ１６０：ＮＯ）、起床時間になるまで待機し、起床時間の場合は（Ｓ１６０：ＹＥＳ）、ステップＳ１７０に進む。起床時間になったことは、携帯電話端末１０を通じて医療機関に通知される。
【００２３】
ステップＳ１７０では、制御装置４０で、医療機関から本装置の携帯電話端末１０への発呼に応答して、脳波測定装置２０の測定結果（患者の脳波）に基づいて、患者の脳波が覚醒中を示しているかどうかを判定する。この判定の結果として、患者の脳波が覚醒中を示している場合は（Ｓ１７０：ＹＥＳ）、ただちに動作（通信を含む）を終了し、患者の脳波が覚醒中を示していない場合は（Ｓ１７０：ＮＯ）、患者が睡眠中であると判断して、ステップＳ１８０に進む。この判定の結果は、携帯電話端末１０を通じて医療機関に通知される。
【００２４】
ステップＳ１８０では、制御装置４０で、携帯電話端末１０を通じて医療機関からの指示（精神賦活剤または興奮剤の注入）を受信し、この指示に基づく薬物注入の信号を第３の薬物注入装置３４に送る。これにより、医療機関の指示により第３の薬物注入装置３４から患者の体内へ精神賦活剤または興奮剤が直接的に注入される。なお、この後、医療機関との通信を一旦終了する。
【００２５】
そして、ステップＳ１９０では、制御装置４０で、ステップＳ１８０の処理を終了してから所定時間が経過したかどうかを判定する。ここで、所定時間は、精神賦活剤または興奮剤が効くのに要する時間以上に設定されている。所定時間は、個体差に対応するため、患者毎に任意に変更することが可能である。この判定の結果として、所定時間が経過していない場合は（Ｓ１９０：ＮＯ）、所定時間が経過するまで待機し、所定時間が経過した場合は（Ｓ１９０：ＹＥＳ）、ステップＳ２００に進む。所定時間が経過したことは、携帯電話端末１０を通じて医療機関に通知される。
【００２６】
ステップＳ２００では、制御装置４０で、医療機関から本装置の携帯電話端末１０への再度の発呼に応答して、脳波測定装置２０の測定結果（患者の脳波）に基づいて、患者の脳波が覚醒中を示しているかどうかを判定する。この判定の結果として、患者の脳波が覚醒中を示している場合は（Ｓ２００：ＹＥＳ）、ただちに動作（通信を含む）を終了し、患者の脳波が覚醒中を示していない場合は（Ｓ２００：ＮＯ）、患者が睡眠中であると判断して、ステップＳ２１０に進む。この判定の結果は、携帯電話端末１０を通じて医療機関に通知される。
【００２７】
ステップＳ２１０では、制御装置４０で、携帯電話端末１０を通じて医療機関からの指示（精神賦活剤または興奮剤の追加注入）を受信し、この指示に基づく薬物注入の信号を第４の薬物注入装置３６に送る。これにより、医療機関の判断により第４の薬物注入装置３６から患者の体内へ追加の精神賦活剤または興奮剤が直接的に注入される。そして、この後、一連の動作を終了する。
【００２８】
このように、本実施の形態によれば、医療機関と通信する携帯電話端末１０と、患者が睡眠中か覚醒中かを調べる脳波測定装置２０と、睡眠導入剤を適量注入するための薬物注入装置３０、３２と、精神賦活剤または興奮剤を適量注入するための薬物注入装置３４、３６とを設けたため、患者に対して医療機関からの指示により直接的に薬物を注入することができ、患者を定刻に速やかに眠らせ、また、起床時間に速やかに覚醒させることができ、強度の不眠症を持つ、体の動きの不自由な症状を持つ患者に対して、即効性のある睡眠導入および覚醒を提供することができる。
【００２９】
特に、患者の発する脳波により、患者が安眠できていないことを医療機関に通知し、医療機関からの指示を受信して、睡眠導入剤を追加注入する第２の薬物注入装置３２を有するため、医療機関の判断により睡眠導入剤を追加注入することができ、患者を速やかに睡眠へといざなうことができる。
【００３０】
また、患者の発する脳波により、患者が覚醒できていないことを医療機関に通知し、医療機関からの指示を受信して、精神賦活剤または興奮剤を追加注入する第４の薬物注入装置３６を有するため、医療機関の判断により精神賦活剤または興奮剤を追加注入することができ、患者を速やかに覚醒へといざなうことができる。
【００３１】
なお、本実施の形態では、薬物注入装置の数を４つとしたが、これに限定されるわけではなく、任意の数であってもよい。
【００３２】
また、本実施の形態では、睡眠導入剤を注入する薬物注入装置の数を２つとしたが、これに限定されるわけではなく、任意の数であってもよい。また、精神賦活剤または興奮剤を注入する薬物注入装置の数についても、２つに限定されるわけではなく、任意の数であってもよい。
【００３３】
また、本実施の形態では、薬物注入装置の数を増やすことにより薬物の追加注入を可能としているが、薬物の追加注入を可能とする構成は、これに限定されるわけではなく、１つの薬物注入装置を注入量制御可能に構成することにより、１つの薬物注入装置から毎回適量ずつ複数回注入するようにしてもよい。
【産業上の利用可能性】
【００３４】
本発明は、体の不自由な不眠症の患者に対して自動的に睡眠導入剤および精神賦活剤または興奮剤を直接的に注入して、速やかに患者を睡眠／覚醒させることができ、適切な睡眠導入効果および覚醒効果を有する睡眠促進／覚醒装置として有用である。
【図面の簡単な説明】
【００３５】
【図１】本発明の一実施の形態に係る睡眠促進／覚醒装置の構成を示すブロック図
【図２】本実施の形態に係る睡眠促進／覚醒装置の動作を示すフローチャート
【符号の説明】
【００３６】
１０  携帯電話端末
２０  脳波測定装置
３０、３２、３４、３６  薬物注入装置
４０  制御装置
５０  コネクタ 
【図１】
2006061209.tif 000003
【図２】
2006061209.tif 000004